(57)【要約】【課題】データを送信する信号に発生する無駄な遅延を軽減することができる無線通信システムを提供する。【解決手段】端末装置１０は、上りチャネル割当要求を行う際に、上りチャネル割当要求とともに、上りチャネルを使用して送信するデータの送信データ情報（データサイズ、変調方式等）に対応した通信要求識別子の情報を基地局装置２０に送信し、基地局装置２０は、通信要求識別子に対応した送信データ情報を有し、該送信データ情報に基づいて上りチャネル割当を行う。【選択図】図２
2013223172.tif 000002
【特許請求の範囲】
【請求項１】
端末装置と基地局装置から構成される無線通信システムにおいて、
前記端末装置は、上りチャネル割当要求を行う際に、上りチャネル割当要求とともに、上りチャネルを使用して送信するデータの送信データ情報に対応した通信要求識別子の情報を前記基地局装置に送信し、
前記基地局装置は、前記通信要求識別子に基づいて前記上りチャネル割当を行うことを特徴とする無線通信システム。
【請求項２】
前記基地局装置は、前記通信要求識別子に対応した送信データ情報を有し、前記送信データ情報に基づいて前記上りチャネル割当を行うことを特徴とする請求項１に記載の無線通信システム。
【請求項３】
前記送信データ情報は、データサイズおよび変調方式であることを特徴とする請求項１または２に記載の無線通信システム。
【発明の詳細な説明】
【技術分野】
【０００１】
本発明は、端末装置と基地局装置からなる無線通信システムに関する。
【背景技術】
【０００２】
３ＧＰＰ（Third Generation Partnership Project）で規定されているＬＴＥ（Long Term Evolution）では、一般的に、アプリケーション毎の優先制御、帯域制御は、ＱｏＳにて実現される。無線パケットスケジューリングに関連した制御としては、パケット中のフィールドに含まれたＱＣＩ（QoS Class Identifier)に基づいて、各アプリケーションに対応した論理チャネルの遅延制御、データ通信の最大量制御、最低量制御を実施する。
【先行技術文献】
【特許文献】
【０００３】
【特許文献１】特開２０１０−２００３４５号公報
【発明の概要】
【発明が解決しようとする課題】
【０００４】
ところで、上述の論理チャネルベースの制御では、物理制御チャネルの詳細制御ができない。ＬＴＥでは、端末がデータ通信のための上り帯域割当要求を行うときは、図３に示すように、物理レイヤ制御チャネルを使用してスケジューリング要求（Scheduling Request）信号を基地局に送信する。基地局は、この信号を受信した時点では、端末が送信したいデータ量を知ることができないので、この応答として、ＭＡＣレイヤ制御用上りリンクバッファ状態報告（ＢＳＲ：Buffer Status Report）のためのデータチャネルの割り当てを実施する。端末は、ここで割り当てられたデータチャネル帯域を使用して、ＭＡＣレイヤ制御用のバッファ状態報告を行う。基地局は、この時点で初めて端末の送信したいデータ量を認識し、適切なチャネル割当制御が可能になるようにしている。
【０００５】
このように、従来のＬＴＥでは、基地局が、バッファ状態報告のためのデータチャネルの割り当てを実施し、端末が、割り当てられたデータチャネル帯域を使用してバッファ状態報告を行うこととしているので、データを送信する信号に無駄な遅延が発生する。
【０００６】
本発明は、このような問題点に鑑みてなされたものであり、本発明の目的は、データを送信する信号に発生する無駄な遅延を軽減することができる無線通信システムを提供することにある。
【課題を解決するための手段】
【０００７】
上記目的を達成するため、本発明は、端末装置と基地局装置から構成される無線通信システムにおいて、前記端末装置は、上りチャネル割当要求を行う際に、上りチャネル割当要求とともに上りチャネルを使用して送信するデータの送信データ情報に対応した通信要求識別子の情報を前記基地局装置に送信し、前記基地局装置は、前記通信要求識別子に基づいて前記上りチャネル割当を行うことを特徴とする。
【０００８】
前記基地局装置は、前記通信要求識別子に対応した送信データ情報を有し、前記送信データ情報に基づいて前記上りチャネル割当を行うことが好ましい。
【０００９】
また、前記送信データ情報は、データサイズおよび変調方式であることが好ましい。
【発明の効果】
【００１０】
本発明によれば、物理レイヤ制御チャネルに対して、上り物理チャネル割当のための識別子を準備し、基地局装置での上り帯域割当要求の応答の時点で、下位レイヤにてデータ送信に最適な通信路を提供するので、データを送信する信号に発生する無駄な遅延を軽減することができる。
【図面の簡単な説明】
【００１１】
【図１】本発明の実施形態に係る無線通信システムを構成する基地局装置および端末装置の概略構成図である。
【図２】図１に示す端末装置および基地局装置の動作を説明するシーケンス図である。
【図３】従来の端末装置および基地局装置の動作を説明するシーケンス図である。
【発明を実施するための形態】
【００１２】
本発明の実施の形態について図面を参照して説明する。図１は、本発明の実施形態に係る無線通信システムを構成する端末装置および基地局装置の概略構成図である。図１に示す端末装置１０は、無線通信部１１と、通信要求識別子決定部１２と、記憶部１３と、制御部１４を備えている。記憶部１３は、上り物理チャネル割当のための下位レイヤ用通信要求識別子と、上り物理チャネルを使用して送信するデータのデータサイズおよび送信データ信号の変調方式等（送信データ情報）とが対応付けられた通信要求識別子テーブルを予め格納している。通信要求識別子決定部１２は、データサイズ、変調方式等（送信データ情報）を基に、記憶部１３に格納されている通信要求識別子テーブルを参照して、上り物理チャネル割当のための通信要求識別子を決定する。
【００１３】
基地局装置２０は、無線通信部２１と、チャネル決定部２２と、チャネル割当部２３と、記憶部２４と、制御部２５を備えている。記憶部２４は、記憶部１３が格納する通信要求識別子テーブルと同様の通信要求識別子テーブルを予め格納している。チャネル決定部２２は、記憶部２３に格納されている通信要求識別子テーブルを参照して、通信要求識別子に対応した送信データ情報から、上りリンクデータ送信に適切なデータチャネルを決定する。チャネル割当部２３は、上りリンクデータ送信のための適切なデータチャネルの割り当てを実施する。
【００１４】
図２は、図１に示す端末装置および基地局装置の動作を説明するシーケンス図である。端末装置１０のアプリケーションが、例えば、Ｐｉｎｇのような通信対象死活監視のために間欠通信要求を実施する際に、端末装置１０は、通信要求識別子決定部１２にて、データサイズ、変調方式等（送信データ情報）を基に、記憶部１３に格納されている通信要求識別子テーブルを参照して、上り物理チャネル割当のための通信要求識別子を決定する。表１に通信要求識別子テーブルの一例を示す。
【００１５】
【表１】
2013223172.tif 000003
【００１６】
端末装置１０は、物理レイヤ制御チャネルを使用して、上りチャネル割当要求を行うためのスケジューリング要求（Scheduling Request）信号を基地局装置２０に送信する際に、決定した通信要求識別子をスケジューリング要求信号に含めて送信する。
【００１７】
基地局装置２０は、このスケジューリング要求信号を受信すると、チャネル決定部２２にて、記憶部２４に格納されている通信要求識別子テーブルを参照して、通信要求識別子に対応したデータサイズ、変調方式等を求め、データサイズ、変調方式等から、上りリンクデータ送信に適切なデータチャネルを決定し、チャネル割当部２３にて、間欠通信用上りリンクデータ送信のための適切なデータチャネルの割り当てを実施する。端末装置１０は、割り当てられたチャネル帯域を使用して、間欠通信用上りリンクデータの送信を実施する。
【００１８】
よって、本発明によれば、無線パケットスケジューリングにおいて、ＱｏＳ制御のような上位レイヤでのアプリケーション適応処理よりも早い段階で、下位レイヤにてアプリケーションに最適な通信路を提供可能になり、例えば、Ｐｉｎｇのような死活監視のための上り間欠信号の無駄な遅延が軽減される。
【００１９】
なお、上述した実施形態では、基地局装置２０は、端末装置１０が備える通信要求識別子テーブルと同様の通信要求識別子テーブルを備え、通信要求識別子テーブルを参照して、通信要求識別子に対応した送信データ情報から、上りリンクデータ送信に適切なデータチャネル割当を行っているが、通信要求識別子に対応したデータチャネル割当情報を格納するテーブルを備え、このテーブルを参照して、通信要求識別子から直接に上りリンクデータ送信に適切なデータチャネル割当を行うようにしてもよい。
【００２０】
また、端末装置１０は、割り当てられたチャネル帯域を使用して、間欠通信用上りリンクデータを送信する際に、上りリンクデータ送信と共にＭＡＣレイヤ用バッファ状態報告（ＢＳＲ：Buffer Status Report）を行ってもよい。
【００２１】
また、上述した実施形態では、通信対象死活監視のために間欠通信要求を実施する場合を例にして本発明を説明したが、本発明は、端末装置が基地局装置に対して、通常のデータ通信を要求する場合においても適用できるものである。
【符号の説明】
【００２２】
１０  端末装置
１１、２１  無線通信部
１２  通信要求識別子決定部
１３、２４  記憶部
１４、２５  制御部
２０  基地局装置
２２  チャネル決定部
２３  チャネル割当部
【図１】
2013223172.tif 000004
【図２】
2013223172.tif 000005
【図３】
2013223172.tif 000006